(57)【要約】【課題】不要な運転支援の作動を抑え、ドライバに煩わしさを与えないＰＣＳを提供する。【解決手段】ＰＣＳは、カメラセンサとレーダセンサとにより自車両前方の対象物を検出すると、各センサの検出結果から対象物の位置（フュージョン情報）を算出すると共に、自車両の操作状態等を検出する（Ｓ３０５〜Ｓ３２０）。そして、ＰＣＳは、対象物との衝突回避や衝突時の被害を緩和するための警告やブレーキ作動等といった運転支援の作動タイミングを、自車両の操作状態に応じて決定する（Ｓ３２５）。【選択図】図４
2014222463.tif 000002
【特許請求の範囲】
【請求項１】
自車両前方に存在する対象物を検出する対象物検出手段（Ｓ１００，Ｓ１０５，Ｓ１１０，Ｓ１１５，Ｓ１２０）と、
前記対象物検出手段により検出された前記対象物と自車両との衝突を回避する、或いは、該衝突による被害を緩和するための運転支援を行う運転支援手段（Ｓ３３５）と、
自車両に対する運転操作の状態である操作状態を検出する操作検出手段（Ｓ３０５）と、
前記操作状態に基づき、前記運転支援手段による前記運転支援の作動タイミングを設定する設定手段（Ｓ３２５）と、
を備えることを特徴とする衝突緩和装置。
【請求項２】
請求項１に記載の衝突緩和装置において、
前記設定手段は、自車両を直進させない前記操作状態が検出された場合には、自車両を直進させる前記操作状態が検出された場合に比べ、前記作動タイミングを遅い時期に設定すること、
を特徴とする衝突緩和装置。
【請求項３】
請求項２に記載の衝突緩和装置において、
自車両を直進させない前記操作状態とは、単位時間当たりの自車両の舵角の変動幅が予め定められた閾値を超えている前記操作状態と、自車両の舵角が予め定められた閾値を超えている前記操作状態と、自車両の舵角の増加率或いは減少率が予め定められた閾値を超えている前記操作状態とのうちの少なくとも一つであること、
を特徴とする衝突緩和装置。
【請求項４】
請求項１に記載の衝突緩和装置において、
前記設定手段は、自車両のウインカが動作している前記操作状態と、自車両のブレーキ操作がなされている前記操作状態とのうちの少なくとも一方が検出された場合には、該操作状態が検出されていない場合に比べ、前記作動タイミングを遅い時期に設定すること、
を特徴とする衝突緩和装置。
【請求項５】
請求項１から請求項４のうちのいずれか１項に記載の衝突緩和装置において、
自車両の走行状態を検出する走行状態検出手段（Ｓ３１０）をさらに備え、
前記設定手段は、さらに、前記自車両の走行状態を加味して前記作動タイミングを設定すること、
を特徴とする衝突緩和装置。
【請求項６】
請求項１から請求項５のうちのいずれか１項に記載の衝突緩和装置において、
前記対象物検出手段は、自車両と前記対象物の位置関係を検出し、（Ｓ３１５）
前記設定手段は、さらに、前記対象物との前記位置関係を加味して前記作動タイミングを設定すること、
を特徴とする衝突緩和装置。
【請求項７】
請求項６に記載の衝突緩和装置において、
前記対象物検出手段は、自車両と前記対象物の横方向の前記位置関係を検出すると共に、さらに、前記対象物の前記横方向の大きさを検出し、（Ｓ３１５）
前記設定手段は、さらに、前記対象物との前記横方向の前記位置関係と前記横方向の大きさとを加味して前記作動タイミングを設定すること、
を特徴とする衝突緩和装置。
【発明の詳細な説明】
【技術分野】
【０００１】
本発明は、車両の衝突を回避する、或いは、衝突の被害を緩和するための衝突緩和装置に関する。
【背景技術】
【０００２】
従来、カメラやレーダ等のセンサにより自車両前方の対象物を検出すると共に、対象物との衝突回避や衝突による被害を緩和するため、警告やブレーキの作動等といった運転支援を行う衝突緩和装置が知られている。
【０００３】
このような装置の一例として、特許文献１には、障害物を検出すると、自車両が該障害物に衝突するリスクレベルを算出し、リスクレベルの高い障害物について優先的に注意喚起を行う衝突緩和装置について記載されている。このような構成によれば、必要性の高い注意喚起のみを行うことが可能となる。
【先行技術文献】
【特許文献】
【０００４】
【特許文献１】特開２０１２−１０３９６９号公報
【発明の概要】
【発明が解決しようとする課題】
【０００５】
しかしながら、ドライバが自車両前方の状況を的確に把握しており、どのような運転操作をすべきかを明確に認識しているにも関らず運転支援がなされると、ドライバに煩わしさを与えるおそれがある。
【０００６】
また、自車両の進路がふらついている場合や、カーブを走行している場合等には、道路外の物体が自車両前方に位置し、該物体が対象物として検出される場合がある。その結果、道路外の物体との衝突を回避するための不要な運転支援が作動し、ドライバに煩わしさを与えるおそれがある。
【０００７】
本願発明は上記課題に鑑みてなされたものであり、不要な運転支援の作動を抑え、ドライバに煩わしさを与えない衝突緩和装置を提供することを目的とする。
【課題を解決するための手段】
【０００８】
上記課題に鑑みてなされた請求項１に係る発明は、自車両前方に存在する対象物を検出する対象物検出手段と、対象物検出手段により検出された対象物と自車両との衝突を回避する、或いは、該衝突による被害を緩和するための運転支援を行う運転支援手段と、自車両に対する運転操作の状態である操作状態を検出する操作検出手段と、操作状態に基づき、運転支援手段による運転支援の作動タイミングを設定する設定手段と、を備えることを特徴とする衝突緩和装置に関するものである。
【０００９】
このような構成によれば、ドライバの運転操作に応じて運転支援の作動タイミングを調整することができる。このため、例えば、ドライバが、明確な意思を持って運転操作を行ったと推測される場合や、道路外に存在する物体が対象物として検出され易くなる運転操作を行った場合等には、作動タイミングを遅らせ、運転支援の作動を抑えることができる。
【００１０】
したがって、明確な意思を持って運転操作を行ったドライバに対する運転支援や、道路外の対象物に対応する運転支援等といった不要な運転支援の作動を抑えることができ、ドライバに煩わしさを与えないようにすることができる。
【００１１】
また、上述したように、自車両の進路がふらついている場合や、カーブを走行している場合等には、道路外の物体が自車両前方に位置し、該物体が対象物として検出される場合があり、道路外の対象物との衝突を回避するための不要な運転支援が作動してしまうおそれがある。
【００１２】
そこで、請求項２に係る発明では、設定手段は、自車両を直進させない操作状態が検出された場合には、自車両を直進させる操作状態が検出された場合に比べ、作動タイミングを遅い時期に設定する。
【００１３】
このような構成によれば、自車両の進路をふらつかせる運転操作や、自車両の進路を曲げる運転操作がなされた場合には、作動タイミングを遅らせ、運転支援の作動を抑えることができる。
【００１４】
したがって、このような運転操作により道路外の物体が対象物として検出された場合であっても、該対象物に対する不要な運転支援の作動を抑えることができ、ドライバに煩わしさを与えないようにすることができる。
【図面の簡単な説明】
【００１５】
【図１】ＰＣＳの構成を示すブロック図である。
【図２】対象物検出処理のフローチャートである。
【図３】フュージョン情報の生成方法についての説明図である。
【図４】運転支援作動処理のフローチャートである。
【図５】ラップ率についての説明図である。
【図６】オフセットについての説明図である。
【図７】ＴＴＣマップの一例についての説明図である。
【図８】ベーステーブルの一例についての説明図である。
【図９】補正テーブルの一例についての説明図である。
【図１０】ラップ率に応じた基本閾値が登録されたベーステーブルの一例についての説明図である。
【発明を実施するための形態】
【００１６】
以下、本発明の実施形態について図面を用いて説明する。なお、本発明の実施の形態は、下記の実施形態に何ら限定されることはなく、本発明の技術的範囲に属する限り種々の形態を採りうる。
【００１７】
［構成の説明］
本実施形態のプリクラッシュセーフティシステム（ＰＣＳ）１は、車両に搭載され、自車両が対象物に衝突するおそれがある場合には、警告やブレーキの作動等といった運転支援を行うことで、車両の衝突を回避したり、衝突時の被害を緩和させるシステムである。ＰＣＳ１は、衝突緩和コントローラ１０と、各種センサ２０と、被制御対象３０とを備えている（図１参照）。
【００１８】
各種センサ２０としては、例えば、カメラセンサ２１，レーダセンサ２２，ヨーレートセンサ２３，車輪速センサ２４等を備えている。
カメラセンサ２１は、例えば、対象物までの距離を検出可能なステレオカメラとして構成されており、撮像画像に基づいて画像中の歩行者や障害物や他車両等の対象物の形状と対象物までの距離等とを認識する。
【００１９】
また、レーダセンサ２２は、指向性のある電磁波を対象物に対して照射し、その反射波を受信することによって、対象物を、その位置（自車両に対する相対位置），形状，大きさ等と共に検出する。
【００２０】
また、ヨーレートセンサ２３は、車両の旋回角速度を検出する周知のヨーレートセンサとして構成されている。
また、車輪速センサ２４は、車輪の回転速度に基づき自車両の速度を検出する。
【００２１】
各種センサ２０による検出結果は、衝突緩和コントローラ１０によって取得される。なお、カメラセンサ２１やレーダセンサ２２は、予め設定された所定の周期（例えば１００ｍｓ）毎に、自車両前方に位置する対象物の検出を実施する。
【００２２】
また、衝突緩和コントローラ１０は、ＣＰＵ１１，ＲＯＭ１２，ＲＡＭ１３や、車内ＬＡＮ４０を介して他のＥＣＵ５０，５１等と通信を行う通信部１４を備え、周知のコンピュータとしての機能を有している。そして、衝突緩和コントローラ１０は、各種センサ２０による検出結果等に基づいてＲＯＭ１２に格納されたプログラムを実行することによって、各種処理を実施する。
【００２３】
また、衝突緩和コントローラ１０は、これらの処理において、対象物の検出結果に基づき被制御対象３０を作動させる。この被制御対象３０としては、例えば、ブレーキ，ステアリング，シートベルト等を駆動するアクチュエータ，警報を発する警報装置等が挙げられる。
【００２４】
［動作の説明］
（１）概要について
本実施形態のＰＣＳ１は、カメラセンサ２１やレーダセンサ２２によって、自車両前方の対象物を、その相対位置，相対速度，大きさ，形状等と共に検出すると共に、対象物の種別（車両，歩行者，自転車，バイク等）を認識する。
【００２５】
また、ＰＣＳ１は、検出された対象物毎に、その相対速度，相対位置等に基づき、該対象物と自車両が衝突するまでの残り時間（ＴＴＣ（Time To Collisionの略））を予測する。そして、ＰＣＳ１は、ＴＴＣが作動閾値に達すると、対象物との衝突回避や衝突時の被害の緩和のため、被制御対象３０による各種運転支援（警報の出力や、ブレーキの作動や、ステアリング操作への介入や、シートベルトの巻き上げ等）を作動させる。
【００２６】
この作動閾値は、自車両の運転操作の状態（操作状態）や、対象物の種別や、対象物と自車両との位置関係や、自車両の走行状態や、自車両の走行環境等に基づき、運転支援の種別毎に個別に設定される。
【００２７】
また、ＰＣＳ１では、自車両を直進させない運転操作がなされている場合には、自車両を直進させる運転操作（直進操作）がなされている場合に比べ、運転支援の作動タイミングが遅くなるよう作動閾値が調整される。また、ブレーキの操作がなされている場合や、ウインカを動作させる操作がなされ、ウインカの動作が継続している場合には、そうでない場合に比べ、運転支援の作動タイミングが遅くなるよう作動閾値が調整される。
【００２８】
（２）対象物検出処理について
次に、カメラセンサ２１やレーダセンサ２２によって自車両前方の対象物を検出すると共に、各対象物についてのＴＴＣを設定する対象物検出処理について、図２に記載のフローチャートを用いて説明する。なお、本処理は、周期的に実行される。
【００２９】
Ｓ１００では、衝突緩和コントローラ１０は、レーダセンサ２２によって反射波を受信し、Ｓ１０５に処理を移行する。
Ｓ１０５では、衝突緩和コントローラ１０は、反射波の受信に基づき対象物を検出し、各対象物の相対位置（自車両と対象物の距離や横位置）や相対速度等を算出する。また、対象物の大きさ，形状等を認識し、Ｓ１１０に処理を移行する。
【００３０】
なお、現在から過去にかけての所定数未満のサイクルにわたりレーダセンサ２２にて対象物が検出されなくなった場合（対象物をロストした場合）には、過去の相対位置等に基づく補間処理により現在の相対位置等が推定され、推定結果を用いてこれ以降の処理が行われる。
【００３１】
Ｓ１１０では、衝突緩和コントローラ１０は、カメラセンサ２１の撮影画像を取り込み、Ｓ１１５に処理を移行する。
Ｓ１１５では、衝突緩和コントローラ１０は、撮影画像に対し画像処理を行うことで対象物が存在する領域を抽出し、各対象物を認識すると共に、各対象物の相対位置（自車両と対象物の距離や、対象物が存在する方向）を算出する。また、各対象物の大きさ，形状等を認識すると共に、パターンマッチング等によりその種別を判別し、Ｓ１２０に処理を移行する。
【００３２】
なお、現在から過去にかけての所定数未満のフレームにわたりカメラセンサ２１にて対象物が検出されなくなった場合（対象物をロストした場合）には、過去の相対位置等に基づく補間処理により現在の相対位置等が推定され、推定結果を用いてこれ以降の処理が行われる。
【００３３】
Ｓ１２０では、衝突緩和コントローラ１０は、レーダセンサ２２とカメラセンサ２１により検出された相対位置に基づき、各対象物の位置（フュージョン情報）を算出する。
具体的には、衝突緩和コントローラ１０は、カメラセンサ２１により検出された距離，方向に基づく対象物の位置２００と自車両との位置を結ぶ線を設定する（図３参照）。また、レーダセンサ２２により検出された距離，横位置に基づく当該対象物の位置２１０から横方向（自車両の前後方向に直交する方向）に延びる線を設定し、これらの線の交点を、当該対象物の位置２２０（フュージョン情報）とする。
【００３４】
さらに、衝突緩和コントローラ１０は、レーダセンサ２２により検出された対象物の位置を中心とする所定の大きさの矩形の領域を、レーダ検出領域２１５として設定する。
また、衝突緩和コントローラ１０は、カメラセンサ２１により検出された対象物の方向を中心とする所定角度の扇状の領域を設定すると共に、当該対象物が前後方向の中央に位置する横方向に延びる所定幅の帯状の領域を設定する。さらに、これらの領域の重複部分を、カメラ検出領域２０５として設定する。
【００３５】
そして、衝突緩和コントローラ１０は、レーダ検出領域２１５とカメラ検出領域２０５の重複領域の面積を算出する。該重複領域の面積が所定値以上である場合には、フュージョン情報に基づき運転支援が行われる。
【００３６】
一方、レーダセンサ２２とカメラセンサ２１の一方でしか対象物を検出できなかった場合や、上記重複領域の面積が所定値未満である場合等には、一方のセンサにより検出された相対位置に基づき運転支援が行われる。
【００３７】
続くＳ１２５では、衝突緩和コントローラ１０は、例えば、対象物と自車両との距離を該対象物の相対速度で除算する等の方法により、各対象物についてのＴＴＣを算出し、本処理を終了する。
【００３８】
（３）運転支援作動処理について
次に、各対象物に対応する運転支援の作動タイミングを設定すると共に、作動タイミングの到来時に運転支援を開始させる運転支援作動処理について、図４に記載のフローチャートを用いて説明する。なお、本処理は、周期的に実行される。
【００３９】
Ｓ３００では、衝突緩和コントローラ１０は、対象物が検出されたか否かを判定し、肯定判定が得られた場合には（Ｓ３００：Ｙｅｓ）、Ｓ３０５に処理を移行すると共に、否定判定が得られた場合には（Ｓ３００：Ｎｏ）、本処理を終了する。
【００４０】
Ｓ３０５では、衝突緩和コントローラ１０は、自車両のハンドル，ブレーキ，ウインカ等の操作状態を検出する。
具体的には、ヨーレートセンサ２３により検出されたヨーレートの単位時間当たりの変動幅が予め定められた閾値以上である場合には、単位時間当たりの自車両の舵角の変動幅が予め定められた閾値を超えており、ハンドル操作がふらついているとみなされ、ふらつき操作が検出される。
【００４１】
また、所定時間にわたりヨーレートの絶対値が予め定められた閾値以上で維持されている場合には、自車両の進路を曲げた状態（自車両の舵角が予め定められた閾値を超えた状態）で維持するハンドル操作（舵角維持操作）が検出される。
【００４２】
また、ヨーレートの増加率或いは減少率（単位時間当りのヨーレートの増加幅或いは減少幅）が予め定められた閾値以上である場合には、自車両の舵角の増加率或いは減少率が予め定められた閾値を超えているとみなされ、ハンドルを切る操作（舵角切り増し操作）が検出される。
【００４３】
一方、これらの操作が検出されなかった場合には、直進操作がなされているとみなされる。なお、これらの操作のうちの少なくとも１つを検出し、該操作が検出されなかった場合には、直進操作がなされているとみなす構成としても良い。
【００４４】
また、ハンドルの舵角を検出する舵角センサにより、上述したハンドル操作を検出しても良い。
また、例えば、車内ＬＡＮ４０を介して他のＥＣＵから受信した情報に基づき、ブレーキを動作させるブレーキ操作が検出されると共に、ウインカが動作中か否かが判定され、ウインカが動作中である場合には、ウインカ操作が検出される。
【００４５】
続くＳ３１０では、衝突緩和コントローラ１０は、車輪速センサ２４等により車速等といった走行状態を検出する。また、各対象物の相対速度の履歴に基づき各対象物と自車両との間の相対加速度を算出すると共に、相対加速度を走行状態とし、Ｓ３１５に処理を移行する。
【００４６】
Ｓ３１５では、衝突緩和コントローラ１０は、各対象物の大きさ，形状等に基づき該対象物の横幅（横方向の長さ）を算出する。また、各対象物の相対位置や、カメラセンサ２１により認識された各対象物の種別等に基づきラップ率やオフセットを算出し、Ｓ３２０に処理を移行する。
【００４７】
なお、ラップ率とは、自車両４００の前面と対象物である他車両４１０の後部とが、横方向に沿って重複する度合いである（図５参照）。具体的には、例えば、自車両４００の前面と他車両４１０の後部との横方向に沿った重複部分の長さと自車両の車幅との比率（重複部分の長さ／車幅）を、ラップ率としても良い。
【００４８】
また、オフセットとは、対象物が歩行者等である場合において、該対象物が、自車両４２０の中央から横方向にずれている度合いである（図６参照）。具体的には、例えば、自車両４２０の中央と対象物（歩行者４３０）の位置との横方向の距離（ｄ）と、車幅の半分の長さとの比率（ｄ／車幅の半分の長さ）を、オフセットとしても良い。
【００４９】
また、カメラセンサ２１により対象物が検出されていない場合には、レーダセンサ２２により検出された対象物の形状に基づき対象物の種別を判別し、判別結果に基づきラップ率等を算出しても良い。
【００５０】
Ｓ３２０では、衝突緩和コントローラ１０は、カメラセンサ２１やレーダセンサ２２による検出結果等に基づき走行環境を検出し、Ｓ３２５に処理を移行する。
具体的には、カメラセンサ２１やレーダセンサ２２により自車両前方のカーブの有無を検出し、検出結果を走行環境としても良い。また、カメラセンサ２１による撮影画像に基づき、自車両や対象物が道路の白線の内側に存在するか否かや、自車両と対象物が同一の走行レーンに存在するか否か等を検出し、検出結果を走行環境としても良い。また、このほかにも、トンネルを走行中か否かや、昼，夕方，夜等といった時間帯や天候を走行環境として検出しても良い。
【００５１】
Ｓ３２５では、衝突緩和コントローラ１０は、各対象物に対応して行われる各種別の運転支援の作動タイミングを設定する。具体的には、各対象物の相対位置の履歴に基づき対象物の移動方向が特定されると共に、対象物毎に、該対象物の種別，移動方向，操作状態，走行状態，走行環境等に基づき、各種別の運転支援に対応して設けられたＴＴＣマップから作動閾値が読み出される（詳細は後述する）。
【００５２】
続くＳ３３０では、衝突緩和コントローラ１０は、各対象物について、ＴＴＣが作動閾値に達したか否か（各種別の運転支援の作動タイミングが到来したか否か）を判定する。そして、衝突緩和コントローラ１０は、いずれかの対象物に対応するいずれかの種別の運転支援の作動タイミングが到来している場合には（Ｓ３２５：Ｙｅｓ）、Ｓ３３０に処理を移行し、そうでない場合には（Ｓ３２５：Ｎｏ）、本処理を終了する。
【００５３】
Ｓ３３０では、衝突緩和コントローラ１０は、被制御対象３０を制御して作動タイミングが到来した運転支援を開始させ、本処理を終了する。
（４）ＴＴＣマップについて
次に、運転支援の種別毎に設けられたＴＴＣマップについて説明する（図７参照）。このＴＴＣマップにおける行方向に並ぶ各項目は、運転支援の対象となる対象物（運転支援対象）の種別に対応する項目となっている。
【００５４】
「静止物」という項目は、静止している対象物のことであり、該項目の下段の「車両」は静止している車両に、「歩行者」は静止している歩行者に、「その他」は、静止している車両及び歩行者以外の物体に、「横断」は、自車両前方を横方向に移動する対象物に対応する。
【００５５】
また、「先行物」という項目は、自車両の進行方向に移動している対象物のことであり、該項目の下段の「車両」は進行方向に移動している車両に、「歩行者」は進行方向に移動している歩行者に対応する。
【００５６】
また、「対向物」という項目は、自車両に向って移動している対象物のことであり、該項目の下段の「車両」は自車両に向って移動している車両に、「歩行者」は自車両に向って移動している歩行者に対応する。
【００５７】
また、ＴＴＣマップは、「ベーステーブル」，「操作状態」，「走行状態」，「走行環境」という項目を有する。
ベーステーブルとは、作動閾値を定めるベースとなる基本閾値と、運転支援対象と自車両との間の相対速度の対応関係を示すテーブルであり（図８参照）、「ベーステーブル」という項目は、上述した運転支援対象の種別に対応して設けられた各ベーステーブル（“Ａ−１”〜“Ｈ−１”）を示す。
【００５８】
作動タイミングを設定する際には、最初にＴＴＣマップに基づき運転支援対象の種別に対応するいずれかのベーステーブルが選択され、該ベーステーブルと、運転支援対象の相対速度に基づき基本閾値が算出される。
【００５９】
また、ＴＴＣマップにおける「操作状態」，「走行状態」，「走行環境」は、基本閾値に対する補正値が登録された補正テーブルに対応する項目となっており、補正テーブルとして“Ａ−２”〜“Ｈ−１０”等が登録されている。各補正テーブルは、運転支援対象の相対速度と補正値との対応関係を示している（図９参照）。
【００６０】
作動タイミングを設定する際には、基本閾値が設定された後、現在の操作状態，走行状態，走行環境と、運転支援対象の種別とに対応する１または複数の補正テーブルがＴＴＣマップから選択され、選択された補正テーブルから相対速度に対応する補正値が読み出される。なお、２以上の補正テーブルが選択された場合、各補正テーブルから読み出された補正値の合算値が補正値となる。
【００６１】
そして、基本閾値と補正値の合算値が、作動閾値として算出される。
具体的には、ＴＴＣマップは、「操作状態」に対応して、「直進操作」，「ふらつき操作」，「舵角維持操作」，「舵角切り増し操作」，「ブレーキ操作」，「ウインカ操作」等の項目が設けられている。これらの項目は、運転支援操作処理のＳ３０５で検出された各操作状態に該当するものである。
【００６２】
そして、これらの項目のうち、検出された操作状態に合致する１または複数の項目が選択されると共に、選択された項目と運転支援対象の種別と対応する補正テーブルが選択される。
【００６３】
なお、上述したように、衝突緩和コントローラ１０は、自車両を直進させない運転操作がなされている場合には、直進操作がなされている場合に比べ、作動タイミングを遅らせる構成となっている。このため、各ＴＴＣマップにおいては、「ふらつき操作」，「舵角維持操作」，「舵角切り増し操作」に対応する各補正テーブルは、「直進操作」に対応する補正テーブルに比べ、同一の相対速度に対応して登録されている補正値が小さくなっている。
【００６４】
また、上述したように、ブレーキ操作やウインカ操作がなされている場合には、そうでない場合に比べ、作動タイミングを遅らせる構成となっている。このため、各ＴＴＣマップにおいては、「ブレーキ操作」，「ウインカ操作」に対応する補正テーブルに登録された補正値は負の値となっている。
【００６５】
また、ＴＴＣマップでは、「走行状態」に対応して、具体的な走行状態の内容を示す項目が設けられている。図７の例では、自車両と運転支援対象との間の相対加速度が所定の閾値以上となった走行状態である「相対加速度≧Ｘ」という項目が設けられており、自車両がこのような走行状態である場合には、該項目と運転支援対象の種別とに対応する補正テーブルが選択される。
【００６６】
なお、このほかにも、例えば、車速や運転支援対象との相対速度が所定の閾値以上か否か等といった走行状態に対応する補正テーブルを設けることが考えられる。
また、ＴＴＣマップでは、「走行環境」に対応して、具体的な走行環境の内容を示す項目が設けられている。図７の例では、自車両前方にカーブが存在することを示す「カーブ有」という項目と、自車両と運転支援対象とが同一の走行レーン内に存在することを示す「白線認識」という項目が設けられている。そして、これらの項目が示す走行環境となった場合には、該項目と運転支援対象の種別とに対応する補正テーブルが選択される。
【００６７】
また、「車両」に対応するベーステーブルや補正テーブルには、ラップ率毎の基本閾値と相対速度との対応関係、或いは、ラップ率毎の補正値と相対速度との対応関係が登録されていても良い。また、「歩行者」に対応するベーステーブルや補正テーブルには、オフセット毎の基本閾値と相対速度との対応関係、或いは、オフセット毎の補正値と相対速度との対応関係が登録されていても良い。
【００６８】
そして、選択されたベーステーブルや補正テーブルから、運転支援対象（車両）とのラップ率に対応する基本閾値と相対速度との対応関係、或いは、運転支援対象（歩行者）とのオフセットに対応する補正値と相対速度との対応関係を特定しても良い。その後、特定した対応関係から、相対速度に対応する基本閾値或いは補正値を読み出しても良い。
【００６９】
図１０には、ラップ率に応じた基本閾値が登録されているベーステーブルの一例が記載されている。該ベーステーブルには、ラップ率が、０％〜２０％，２０％〜５０％，５０％〜１００％の各場合における基本閾値と相対速度との対応関係が登録されている。該ベーステーブルは、ラップ率が低くなるに従い同一の相対速度に対応する基本閾値が低くなっており、その結果、ラップ率が低い場合には、ラップ率が高い場合に比べて作動タイミングが遅くなる。
【００７０】
また、図１０に記載されたベーステーブルと同様にして、オフセットに応じた基本閾値が登録されているベーステーブルを設けても良い。このような場合、例えば、オフセットが、０〜１／４，１／４〜１／２，１／２〜１の各場合における基本閾値と相対速度との対応関係を、ベーステーブルに登録することが考えられる。
【００７１】
そして、同一の相対速度に対応する各基本閾値について、低いオフセット（対象物が自車両の中央付近に位置する場合）に対応する基本閾値を、高いオフセット（対象物が自車両の中央から離れている場合）に対応する基本閾値よりも高く設定することが考えられる。これにより、オフセットが高い場合は、オフセットが低い場合に比べて作動タイミングを遅くすることができる。
【００７２】
また、「車両」に対応する補正テーブルについても、同様にして、ラップ率に応じた補正値を登録しても良いし、「歩行者」に対応する補正テーブルについても、同様にして、オフセットに応じた補正値を登録しても良い。
【００７３】
［効果］
本実施形態のＰＣＳ１によれば、ふらつき操作や、舵角維持操作や、舵角切り増し操作がなされている場合には、運転支援の作動タイミングが遅くなり、運転支援の作動が抑えられる。
【００７４】
このため、これらの運転操作が行われた結果、道路外の物体が自車両の前方に位置し、該物体が対象物として検出された場合であっても、該対象物に対する不要な運転支援の作動を抑えることができ、ドライバに煩わしさを与えないようにすることができる。
【００７５】
また、ブレーキ操作がなされている場合や、ウインカを動作させる操作がなされ、ウインカの動作が継続している場合は、ドライバは、周囲の状況を十分に把握し、明確な意思を持って運転操作を行っていると推測される。
【００７６】
これに対し、本実施形態のＰＣＳ１では、これらの場合には、運転支援の作動タイミングが遅くなり、運転支援の作動が抑えられる。このため、明確な意思を持って運転操作を行っているドライバに対し不要な運転支援が行われることを防ぐことができ、ドライバに煩わしさを与えないようにすることができる。
【００７７】
また、本実施形態のＰＣＳ１では、自車両との相対位置に基づき対象物毎にＴＴＣが設定され、ＴＴＣが作動閾値に達すると、対象物に対応する運転支援が行われる。また、作動閾値は、自車両の操作状態や、走行状態や、走行環境等に基づき設定される。このため、運転支援の作動タイミングを適切に設定することができる。
【００７８】
また、対象物が車両である場合には、該車両と自車両とのラップ率に基づき作動閾値が設定されると共に、対象物が歩行者である場合には、該歩行者と自車両とのオフセットに基づき作動閾値が設定される。このため、対象物と自車両との位置関係に基づき、運転支援の作動タイミングを適切に設定することができる。
【００７９】
［他の実施形態］
（１）本実施形態のＰＣＳ１は、カメラセンサ２１とレーダセンサ２２とにより対象物を検出する構成となっているが、カメラセンサ２１とレーダセンサ２２のうちの一方で対象物を検出する構成としても良い。また、これら以外の他のセンサにより対象物を検出する構成としても良い。
【００８０】
このような場合であっても、同様の効果を得ることができる。
（２）また、本実施形態のＰＣＳ１では、運転支援の種別毎にＴＴＣマップが設けられているが、さらに、当該ＰＣＳ１が用いられる地域や国等である仕向け地毎にＴＴＣマップを設けても良いし、当該ＰＣＳ１が搭載される車両の種別やサイズ等に応じてＴＴＣマップを設けても良い。
【００８１】
そして、ＰＣＳ１は、仕向け地や車両の種別やサイズの指定を受け付け、該指定に応じてＴＴＣマップを使い分けても良い。
こうすることにより、仕向け地や車両の種別等に応じた最適なタイミングで運転支援を作動させることができる。
【００８２】
［特許請求の範囲との対応］
上記実施形態の説明で用いた用語と、特許請求の範囲の記載に用いた用語との対応を示す。
【００８３】
対象物検出処理のＳ１００〜Ｓ１２０が対象物検出手段の一例に相当する。
また、運転支援作動処理のＳ３０５が操作検出手段の一例に、Ｓ３１０が走行状態検出手段の一例に、Ｓ３１５が対象物検出手段の一例に、Ｓ３２５が設定手段の一例に、Ｓ３３５が運転支援手段の一例に相当する。
【符号の説明】
【００８４】
１…ＰＣＳ、１０…衝突緩和コントローラ、１１…ＣＰＵ、１２…ＲＯＭ、１３…ＲＡＭ、１４…通信部、２０…各種センサ、２１…カメラセンサ、２２…レーダセンサ、２３…ヨーレートセンサ、２４…車輪速センサ、３０…被制御対象、４０…車内ＬＡＮ。
【図１】
2014222463.tif 000003
【図２】
2014222463.tif 000004
【図３】
2014222463.tif 000005
【図４】
2014222463.tif 000006
【図５】
2014222463.tif 000007
【図６】
2014222463.tif 000008
【図７】
2014222463.tif 000009
【図８】
2014222463.tif 000010
【図９】
2014222463.tif 000011
【図１０】
2014222463.tif 000012